(57)【要約】【課題】建物外壁に対し所定の仰角および方位角を有して太陽光パネルを設置するための手段を提供する。【解決手段】平面視交差平面による上下方向稜線を有する建物の稜線個所に太陽光パネルを設置する場合において、側面視において太陽光パネルの下端から上端に向かう仰角を有するとともに、平面視において該稜線に隣り合う建物外壁面と太陽光パネルとのなす角が各々鋭角となるよう該パネルを取り付けることを特徴とする。【選択図】図１
2015169066.tif 000002
【特許請求の範囲】
【請求項１】
平面視交差平面による上下方向稜線を有する建物の稜線個所に太陽光パネルを設置する場合において、側面視において太陽光パネルの下端から上端に向かう仰角を有するとともに、平面視において該稜線に隣り合う建物外壁面と太陽光パネルとのなす角が各々鋭角となるよう該パネルを取り付けることを特徴とする太陽光パネル設置方法。
【請求項２】
太陽光パネルを取り付けるための四角枠状の太陽光パネル取り付け枠体を設け、該取り付け枠体に対し垂直にその長さを変えて突出する複数の有孔板体による枠体固定具を設け、一方、建物の稜線上下方向に固定され、蝶番にて回動可能なる有孔の取り付け部を有する外壁稜部取り付け基体を設けるとともに、建物外壁面適所に固定され、有孔の調整板固定部を有する調整板取り付け具を設け、太陽光パネル取り付け枠体に取り付けられる多孔の枠体側調整板と、該調整板同様に調整板取り付け具に取り付けられる多孔の基体側調整板とを設けて、この双方調整板を重ね合わせて選択した孔一致固定にて、太陽光パネル左右両端と調整板取り付け具との距離の選択を可能として、以上の構成により、建物の上下方向稜線個所に太陽光パネルを所定仰角および所定方位角を有して取り付けることを可能とした太陽光パネル設置に用いる設置用架台。
【発明の詳細な説明】
【技術分野】
【０００１】  この発明は、建物の稜線個所に太陽光パネルを設置するための方法と該方法に用いる設置用架台に関する。
【背景技術】
【０００２】  従来より、太陽光パネルは建物屋根に多く設置されており、建物の上下方向稜線個所に所定角を有して設置する方法および該設置に用いる設置用架台は見あたらない。
【発明の概要】
【発明が解決しようとする課題】
【０００３】  太陽光パネルは発電や給湯等に多用されており、その多くは建物の屋根上に所定角度を有して設置されている。近年、簡易型として建物の外壁やベランダに設置する方式も用いられるようになってきた。一般的な建物は平面視四角形およびその組み合わせ形状が多いため、上記パネルは建物外壁面に沿った方向に設置される。太陽光パネルは太陽光を受光するものであるため、その効率的設置が必要となる。
太陽は地上を照らし始めてから沈むまで、所定の軌道を進むが、その軌道は緯度と経度により異なる。従って、設置場所の緯度と経度に適した設置が求められる。また、建物の外壁面方向と、このパネルの最適方向が一致するとは限らず、効率面から考えると建物外壁面と所定角度を有しての設置が必要となるが、以上に適したパネルの設置方法は未だ見あたらないのが現状である。
本発明は以上に鑑み、建物外壁面方向に対して自由な角度を有して太陽光パネルを設置する手段を得て、最適な受光角度にて効率的な受光を可能とするべく発明されたものである。
【課題を解決するための手段】
【０００４】  課題を解決する手段として本発明は以下の構成とした。
すなわち、本発明の一つは、平面視交差平面による上下方向稜線を有する建物の稜線個所に太陽光パネルを設置する場合において、側面視において太陽光パネルの下端から上端に向かう仰角を有するとともに、平面視において該稜線に隣り合う建物外壁面と太陽光パネルとのなす角が各々鋭角となるよう該パネルを取り付けることを特徴とする太陽光パネル設置方法である。
また、本発明の他の一つは、太陽光パネルを取り付けるための四角枠状の太陽光パネル取り付け枠体を設け、該取り付け枠体に対し垂直にその長さを変えて突出する複数の有孔板体による枠体固定具を設け、一方、建物の稜線上下方向に固定され、蝶番にて回動可能なる有孔の取り付け部を有する外壁稜部取り付け基体を設けるとともに、建物外壁面適所に固定され、有孔の調整板固定部を有する調整板取り付け具を設け、太陽光パネル取り付け枠体に取り付けられる多孔の枠体側調整板と、該調整板同様に調整板取り付け具に取り付けられる多孔の基体側調整板とを設けて、この双方調整板を重ね合わせて選択した孔一致固定にて、太陽光パネル左右両端と調整板取り付け具との距離の選択を可能として、以上の構成により、建物の上下方向稜線個所に太陽光パネルを所定仰角および所定方位角を有して取り付けることを可能とした太陽光パネル設置に用いる設置用架台である。
【発明の効果】
【０００５】  本発明は下記の効果を有する。
１．建物の上下方向稜線個所に太陽光パネルを設置することができるので、建物の外壁面  方向に限定されていた従来方法に比べて太陽光受光方向をより広い範囲から選ぶことが  できる。
２．太陽光パネルを所定範囲内にて任意に選択した仰角と方位角に設定することができる  ので、太陽軌道に適した設置方向とすることができる。
３．構造シンプルにして、比較的安価に製造することができる。
【図面の簡単な説明】
【０００６】
【図１】  本発明の太陽光パネル設置方法説明図（平面視）
【図２】  本発明の太陽光パネル設置方法説明図（側面視）
【図３】  本発明の太陽光パネル設置方法説明図（平面視・方位角変更時）
【図４】  本発明の太陽光パネル設置に用いる設置用架台の使用説明図（側面視）
【図５】  本発明に用いる調整板の説明図
【図６】  本発明の太陽光パネル設置に用いる設置用架台の使用説明図（平面視）
【図７】  本発明に用いる外壁稜部取り付け基体の要部拡大説明図
【図８】  本発明の太陽光パネル設置に用いる設置用架台の組み立て説明図
【発明を実施するための最良の形態】
【０００７】  以下、本発明の実施形態について説明する。
図１〜図３は本発明による太陽光パネル設置方法を説明したものである。
図において、１は太陽光パネル、２は建物外壁である。この太陽光パネルは図のごとく、建物平面視における稜線個所に適宜支持部材にて以下のごとく取り付けられる。
側面視において、太陽光パネルは外方に上向きに取り付けられ、該パネルの仰角θ１を有している。（パネル下端から上端への角度）また、平面視にては図１にて示すように、建物上下方向の稜線に対しパネルの角度θ２およびθ３を有している。これらのθ２およびθ３の角度は、後述の設置架台にて示されるように可変設定が可能である。【０００８】  次に、太陽光パネルの設置架台について説明する。
図において、１０は太陽光パネル取り付け枠体で、アングル鋼材を組み合わせ接合してなる長方形枠体であって、そのサイズは太陽光パネル取付に適したサイズに形成される。また、その中間には補強部材が設けられる。１１は上部枠体固定具で、平面視Ｌ形の鋼材でその一面に有孔の突出片を設けたものであり、このＬ形の部分は前記の取り付け枠体の上部に適宜固定手段にて固定される。１２は中部枠体固定具で、前記の上部枠体固定具と近似の物品であるが、突出片を長く形成している。この中部枠体固定具は前記の補強部材１３に取り付けられる。１４は下部枠体固定具で、太陽光パネルの下端に取り付けられ、中部枠体固定具よりさらに突出片が長く形成される。【０００９】  １５は枠体側調整板で、Ｌ形鋼材にて形成されるが、その一端近傍下部を切除するとともに、その上面には取り付け孔１６が穿設され、また他端近傍から調整孔１７が複数個連設されている。１８は基体側調整板で、枠体側調整板と同様物品であり、取り付け孔１９および調整孔２０が設けられる。
３０は外壁稜部固定基体であり、以下の構成による。３１は基体主部で、断面Ｌ形の所定長鋼材である。この主部には突片による有孔の添板３２が複数個固着される。
３３は取り付け部で、有孔の小四角板であって、蝶番３４にて主部に取り付けられる。
３５は調整板取り付け具であり、有孔小板に垂直に調整板固定部３６としての有孔小板が固着されて形成される。【００１０】  次に、本発明架台の組み立て設置について説明する。本例において架台を取り付けようとする建物は、平面視四角形の外観直方体形状の建物である。まず、建物に適した太陽光パネル角度を計算して、その角度に適した太陽光パネル取り付け枠体と外壁稜部取り付け基体を選定する。建物の位置すなわち緯度と経度にて太陽軌道は変化するが、冬季寒冷地例えば札幌市では２月昼ころでは太陽仰角は約３６度であり、これをもとに太陽光パネルの下端から上端への仰角を計算すると約５４度となる。この角度は季節と建物位置にて異なるために、本例では、４０度から７０度の範囲として、状況に合わせて選択できるようにした。市販の太陽光パネルサイズは規格統一されているので、取り付け枠体サイズは同一であるが、上部から下部の各枠体固定具は各角度に合わせてその長さは変化する。
また、外壁稜部取り付け基体における取り付け部３３の上下位置も、枠体固定具に合わせたものが用意される。【００１１】  設置に際しては、まず建物の稜線上下に沿って外壁稜部取り付け基体をビスにて固定する。また、建物所定位置外壁面に、調整板取り付け具３５を固定する。次に上部から下部の枠体固定具を取り付けてある太陽光パネル取り付け枠体を該取り付け基体に取り付ける。このとき、各枠体固定具の孔は取り付け部３３の孔と一致し、例えばボルトとナットにて固定される。この状態において、パネル取り付け枠体は建物の稜線と所定の上向き角度を有して固定されている。
次に太陽光パネルの方位角の設定を行う。太陽光パネル取り付け枠体に枠体側調整板の端部を仮止めし、基体側調整板の端部を調整板固定部に仮止めする。双方の調整板を重ねて、各調整孔を一致させ、ボルトとナットにて固定する。このとき、この調整孔位置を選定して、所望の方位角が得られるように行う。この方位角変化に対応するべく、本発明では調整板固定部を蝶番にて取り付けている。そして、太陽光パネルを取り付けて作業は完了する。この状態において、太陽光パネルは建物に対して所定の仰角と方位角を有して建物稜線位置に固定されており、太陽軌道に適合した角度と方位に太陽光パネルが設置されるために、より効率的に太陽光パワーを受けることができる。【００１２】  以上、本発明について記したが、一般的に太陽光および太陽熱を利用するシステムの設置工法は、屋根にその架台を設ける場合、屋根の板金同士を接合するハゼがあってその板金の折り込み方向が一定であるために、設置パネル方向が太陽光（真南）に対し平行の東西であったり、南東、南西、北西、北東など必ずしも都合よく南北の方向にないため、その設置はできるだけ真南に近くなるようなおおよその方向で設置しなければならなかった。従って、最良の設置ではなく、その設置方向はそのハゼ方向で左右されていた。
また最近は建物壁に沿って垂直に設置されるケースも増えてきた。しかしこの壁直づけ工法では壁面が真南でない限り、前記したとおり大多数の建物においては設置した太陽光パネルの性能を最良の条件にすることは困難であったが、本発明は建物の上下方向稜線を利用する方式のために、最良の方角にパネル設置位置調整が可能であり、該パネルを最良の方角に確実に設置することを可能としたものであって、従来法に比べてより効率的に太陽光を受光できる手段を提供するものである。
【符号の説明】
【００１３】１    太陽光パネル
２    建物外壁
１０  太陽光パネル取り付け枠体
１１  上部枠体固定具
１２  中部枠体固定具
１３  補強部材
１４  下部枠体固定具
１５  枠体側調整板
１６  取り付け孔
１７  調整孔
１８  基体側調整板
１９  取り付け孔
２０  調整孔
３０  外壁稜部固体基体
３１  基体主部
３２  添板
３３  取り付け部
３４  蝶番
３５  調整板取り付け具
３６  調整板固定部
θ１  太陽光パネルの仰角
θ２  太陽光パネルの建物外壁に対する方位角
θ３  太陽光パネルの建物外壁に対する方位角
【図１】
2015169066.tif 000003
【図２】
2015169066.tif 000004
【図３】
2015169066.tif 000005
【図４】
2015169066.tif 000006
【図５】
2015169066.tif 000007
【図６】
2015169066.tif 000008
【図７】
2015169066.tif 000009
【図８】
2015169066.tif 000010